(57)【要約】【課題】省電力機能付き携帯情報端末において、使用者の操作性を良好に保つようにしたディスプレイの省電力制御を行うことを目的とする。【解決手段】使用者のキー入力を検知するキー操作部と、省電力機能を備えたディスプレイ表示部と、使用者のキー入力間隔を測定するためのタイマを制御するキー入力間隔測定部と、ディスプレイ表示部を省電力状態にするまでの時間を測定する省電力変更タイマ部と、キー操作部により使用者が入力したキー入力間隔を複数保持する入力間隔保持部と、ディスプレイ表示部の省電力制御を行うまでの時間をキー入力間隔に対する省電力制御を規定した情報をメモリへ保持する省電力機能変更時間変換テーブル部と、省電力機能を管理／制御する省電力管理部とディスプレイ表示部に対して省電力機能の切り換えを指示する省電力切換制御部とを備えた携帯情報端末を構成して、キー入力間隔によって省電力機能を切り替える。【選択図】図１
2007214628.tif 000002
【特許請求の範囲】
【請求項１】
使用者のキーの入力を検知するキー操作部と、
省電力機能を備えたディスプレイ表示部と、
前記ディスプレイ表示部の省電力制御を行うまでの時間を使用者のキー入力間隔に基づいて決定するディスプレイ省電力制御部とを備えた携帯情報端末。
【請求項２】
前記ディスプレイ省電力制御部に、
使用者のキー入力の入力間隔を測定するキー入力間隔測定部と、
前記キー操作部により使用者が入力したキー入力間隔を複数保持する入力間隔保持部とを備え、
前記ディスプレイ表示部の省電力制御を行うまでの時間を、複数の入力間隔を平均した入力間隔平均値に基づいて決定するようにした請求項１記載の携帯情報端末。
【請求項３】
前記ディスプレイ省電力制御部に、
前記ディスプレイ表示部を省電力状態にするまでの時間を測定する省電力変更タイマ部と、
所定のキー入力間隔に対する前記ディスプレイ表示部の省電力制御を行うまでの時間をメモリへ保持し、キー入力間隔を前記ディスプレイ表示部の省電力制御を行うまでの時間に変換するための省電力機能変更時間変換テーブル部と
前記入力間隔保持部が保持するキー入力間隔を平均した入力間隔平均値を前記省電力機能変更時間変換テーブル部と照合して省電力制御切り替え時間を決定する省電力管理部と、前記ディスプレイ表示部に対して、省電力機能の切り換えを指示する省電力切換制御部とを備えた請求項１または２記載の携帯情報端末。
【請求項４】
前記ディスプレイ表示部に、バックライトの点灯、消灯切り替えにより省電力を行うよう構成した請求項１ないし３のいずれかに記載の携帯情報端末。
【請求項５】
前記ディスプレイ表示部に、表示駆動方式の変更により省電力を行うよう構成した請求項１ないし３のいずれかに記載の携帯情報端末。
【発明の詳細な説明】
【技術分野】
【０００１】
本発明は、ディスプレイの省電力制御を行う携帯情報端末に関する。
【背景技術】
【０００２】
従来、携帯電話機など携帯情報端末のディスプレイの省電力制御においては、表示部のバックライトの輝度を下げるなどの省電力制御を行うまでの時間設定を、設定メニューにより行っていた（例えば、特許文献１参照）。
【特許文献１】特開２００２―３５３８８２号公報（第２ページ、図３）
【発明の開示】
【発明が解決しようとする課題】
【０００３】
しかしながら、上記従来の携帯電話機においては、あらかじめ設定メニューで設定した時間でディスプレイが省電力状態になってしまうために、使用者がキー入力操作をしている最中にディスプレイ表示が省電力状態となってしまうと、操作性が低下する問題があった。一方、操作性の低下を防ぐために、省電力状態となるまでの時間を長い時間に設定した場合には、省電力の効果が薄れてしまう問題があった。
【０００４】
本発明は、かかる点に鑑みてなされたものであり、使用者の操作性を損なうことなく、ディスプレイの省電力制御を行うことで、消費電力を低減させる携帯情報端末を提供することを目的とする。
【課題を解決するための手段】
【０００５】
本発明の携帯情報端末は、使用者のキーの入力を検知するキー操作部と、省電力表示可能なディスプレイ表示部と、前記ディスプレイ表示の省電力制御を起動するまでの時間を使用者のキー入力間隔に基づいて決定するディスプレイ省電力制御部とを備える。この構成によれば、使用者のキー入力間隔に基づいて、ディスプレイの省電力制御を行う為、ユーザの操作性を損なうことなく、適切なタイミングで省電力制御を行うことができる。
【０００６】
また、本発明は、前記ディスプレイ省電力制御がディスプレイのバックライト制御であることを特徴とする。この構成によれば、ディスプレイの消費電力をユーザの操作性を損なうことなく、目に見える形で、適切なタイミングで制御できる。
【０００７】
また、本発明における前記ディスプレイ省電力制御が画面表示をカラーからモノクロに変更する方式や画面の更新回数(リフレッシュレート)を下げる方式など表示駆動方式の変更制御であることを特徴とする。この構成によれば、バックライトとは別の形で、ディスプレイの消費電力をユーザの操作性を損なうことなく、適切なタイミングで制御できる。
【発明の効果】
【０００８】
本発明によれば、使用者のキー入力間隔に基づいて、ディスプレイの省電力制御を行う為、平均的に早くキー入力を行う使用者には早いタイミングで省電力制御を切り替え、平均的に遅くキー入力を行う使用者には遅いタイミングで省電力制御を切り替えるというように、ユーザの操作習熟度合いに合わせた適切なタイミングで、ユーザの操作性を損なうことなく省電力制御を行うことができる。
【０００９】
特に、使用者のキー入力間隔を連続した複数回のキー入力間隔を測定して、入力間隔平均値をもとに、省電力制御を切り替えることにより、キー入力間隔がばらついても、安定的な制御ができるという効果がある。
【発明を実施するための最良の形態】
【００１０】
（実施の形態１）
以下、本発明の第１の実施の形態について、図面を用いて説明する。図１は、本発明の実施の形態１における携帯情報端末の構成を示すブロック図である。
図１に示した携帯情報端末は、アンテナ部１０１、無線部１０２、制御部１０３、ディスプレイ表示部１１１、キー操作部１１２を備える。アンテナ部１０１と無線部１０２は無線通信制御を行う。制御部１０３は、携帯情報端末の各種制御を行う。ディスプレイ表示部１１１は携帯情報端末の表示を行い、キー操作部１１２は、使用者のキーの入力制御を行う。そして、制御部１０３の中には、ディスプレイ省電力制御部１０４が設けてある。ディスプレイ省電力制御部１０４は、ディスプレイ表示における省電力制御・管理を行う。そして、ディスプレイ省電力制御部１０４の中には、キー入力間隔測定部１０５、バックライトオフタイマ部１０６、入力間隔保持部１０７、バックライトオフ時間変換テーブル部１０８、省電力管理部１０９、バックライト制御部１１０を備える。
【００１１】
キー入力間隔測定部１０５は、キー操作部１１２により使用者が入力したキー入力の時間間隔を測定するためのタイマである。入力間隔保持部１０７は、キー操作部１１２により使用者が入力したキー入力の時間間隔をｎ個保持する記憶領域である。バックライトオフ時間変換テーブル部１０８は、入力間隔に応じてディスプレイのバックライトを消灯する時間を決定するための変換テーブルであり、キー入力間隔をディスプレイ表示部の省電力制御を行うまでの時間に変換するための省電力機能変更時間変換テーブル部として機能する。バックライトオフタイマ部１０６は、ディスプレイ表示部１１１をバックライトオフ状態にするまでの時間を測定するためのタイマであり、ディスプレイ表示部を省電力状態にするまでの時間を測定する省電力変更タイマ部として機能する。バックライト制御部１１０は、バックライトオフタイマ部１０６がタイムアウトしたときに、ディスプレイ表示部１１１をバックライトオフ状態に制御し、ディスプレイ表示部に対して省電力機能の切り換えを指示する省電力切換制御部として機能する。
【００１２】
省電力管理部１０９は、キー操作部１１２の操作を介して検出した使用者のキー入力をキー入力間隔測定部１０５により入力間隔を測定し、入力間隔保持部１０７に保持させ、入力間隔保持部１０７に保持したｎ回の入力間隔から入力間隔の平均値を求め、バックライトオフ時間変換テーブル部１０８に基づいてバックライトオフ時間を決定し、バックライトオフタイマ部１０６にバックライトオフ時間を設定する。
【００１３】
図２は、本実施の形態に係る入力間隔保持部１０７の構成を示す図である。入力間隔保持部１０７は、入力間隔保持領域２０１に、キー操作部により使用者が入力したキー入力間隔を、入力間隔１、入力間隔２というように、ｎ個までのキー入力間隔をメモリへ記憶する。
【００１４】
図３は、本実施の形態に係るバックライトオフ時間変換テーブル部１０８の一例を示す図である。バックライトオフ時間変換テーブル部１０８には、入力間隔しきい値領域３０２とバックライトオフタイマ値領域３０１を設けている。入力間隔しきい値領域３０２には、複数の入力間隔のしきい値、しきい値１〜しきい値ｍを記憶し、バックライトオフタイマ値領域３０１には、それぞれの入力間隔のしきい値に対応したバックライトオフタイマ値、タイマ値1〜タイマ値ＭＡＸを記憶している。入力間隔しきい値の最小の値を「しきい値１」とし、最大の値を「しきい値ｍ」として説明する。前記しきい値１〜しきい値ｍに対して、バックライトオフタイマ値の最小の値(下限値)のタイマ値１からタイマ値ｍをそれぞれ対応させ、しきい値ｍを超えたときに対応するタイマの値をタイマ値の最大値（上限値）であるタイマ値ＭＡＸを記憶している。なお、上記の説明で入力間隔の数ｎとしきい値の数ｍは異なる値でも、同じであってもよい。
【００１５】
以上の様に構成された本発明の第一の実施の形態に係わる携帯情報端末についての動作を説明する。図４は、本実施の形態に係る携帯情報端末において、入力間隔に応じて、自動的にバックライトオフタイマ値を決定する手順の一例を示すフロー図である。図４は、省電力管理部１０９が、キー操作部１１２の操作を介して検出した使用者のキー入力間隔に基づいて、バックライトオフ時間を決定し、ディスプレイ省電力制御を行う手順を示している。以下各処理ステップを説明する。
【００１６】
省電力管理部１０９は、キーの入力により起動される（ステップ４００）。省電力管理部１０９は、バックライト状態について、省電力状態がバックライトオフ状態であるかを判断する（ステップ４０１）。バックライトオフ状態であれば（ステップ４０１；Ｙ）、バックライト制御部１１０が、ディスプレイ表示部１１１に対して、バックライトオン制御指示を行い、バックライトを点灯させる（ステップ４０８）。
【００１７】
ステップ４０１において、バックライトオフ状態でなければ（ステップ４０１；Ｎ）、省電力管理部１０９は、キー入力間隔測定部１０５が、それ以前にキー入力操作が行われていた場合には、前回のキー入力時間と今回のキー入力時間との差分により、キー入力間隔値を取得する（ステップ４０２）。さらに、省電力管理部１０９は、取得したキー入力間隔値を入力間隔保持部１０７に保存する（ステップ４０３）。このとき、入力間隔保持部１０７はｎ個の入力間隔値を保持可能であるが、新しくキーが入力されると、最も古いキー入力間隔値は破棄し、新しいキー入力間隔値を追加して、常に最新のｎ回分までのキー入力間隔値を保持する。
【００１８】
次に省電力管理部１０９は、入力間隔保持部１０７に保持したｎ個のキー入力間隔値の平均値を計算し、入力間隔平均値とする（ステップ４０４）。
【００１９】
次に省電力管理部１０９は、前記入力間隔平均値に基づき、バックライトオフタイマ値を求める。バックライトオフタイマ値は、バックライトオフ時間変換テーブル部１０８に定義される入力間隔しきい値とバックライトオフタイマ値の対応テーブルにより導く。入力間隔平均値が、しきい値１未満の値のとき、バックライトオフタイマ値は、タイマ値１とし、しきい値１以上しきい値２未満のとき、タイマ値２とする。同様にしきい値ｍ−１以上しきい値ｍ未満のとき、タイマ値ｍとする。また、しきい値ｍ以上のとき、タイマ値最大値とする（ステップ４０５）。
【００２０】
次に省電力管理部１０９は、前記バックライトオフタイマ値をバックライトオフタイマ部１０６に通知する（ステップ４０６）。次にバックライトオフタイマ部１０６は、バックライトオフタイマを更新した設定値により再スタートさせる。（ステップ４０７）
図５は、本実施の形態に係るバックライトオフ制御の手順の一例を示すフロー図である。以下各処理ステップを説明する。
【００２１】
バックライトオフタイマがタイムアウトすると（ステップ５００）、バックライト制御部１１０は、バックライトオフタイマ部１０６のタイムアウトにより起動され、ディスプレイ表示部１１１に対して、ディスプレイのバックライトをオフ状態に遷移するよう指示する（ステップ５０１）。そして、終了する（ステップ５０２）。その後、キー入力があった場合は、図４に示す処理が起動される。
【００２２】
このように、本実施の形態によれば、使用者のキーの入力間隔に基づいて、ディスプレイの省電力制御を行うことができる。特に、使用者のキー入力間隔を連続した複数回のキー入力間隔を測定して、入力間隔平均値をもとに、省電力制御を切り替えることにより、キー入力間隔がばらついても、安定的な制御ができる。したがって、使用者の操作性を良好に保つようにしたまま消費電力の削減を行うことができる。
【００２３】
なお、ここでは、ｎ個の入力間隔を平均した入力間隔平均値を用いて省電力制御を行うまでの時間を決定する実施の形態を説明したが、ｎ個の入力間隔の最小値、あるいは最大値を用いて省電力制御を行うまでの時間を決定するようにしてもよい。また、ｎ個は複数でなく、１個として用いてもよい。
【００２４】
（実施の形態２）
次に本発明の第２の実施の形態について説明する。図６は、本発明の実施の形態２における携帯情報端末の構成を示すブロック図である。本実施の形態は、ディスプレイ表示部１１１をバックライト制御するのではなく、画面表示をカラーからモノクロに変更する方式や画面の更新回数(リフレッシュレート)を下げる方式など表示駆動方式変更制御を行う点が、既に説明した実施の形態１と異なる。
【００２５】
図６に示した携帯情報端末は、アンテナ部１０１、無線部１０２、制御部６０３、ディスプレイ表示部１１１、キー操作部１１２を備える。アンテナ部１０１と無線部１０２は無線通信制御を行う。制御部６０３は、携帯情報端末の各種制御を行う。ディスプレイ表示部１１１は、携帯情報端末の表示を行い、キー操作部１１２は、使用者のキーの入力制御を行う。そして、制御部６０３の中には、ディスプレイ省電力制御部６０４が設けてある。ディスプレイ省電力制御部６０４は、ディスプレイ表示における省電力制御・管理を行う。そして、ディスプレイ省電力制御部６０４の中には、キー入力間隔測定部１０５、表示駆動方式変更タイマ部６０６、入力間隔保持部１０７、表示駆動方式時間変換テーブル部６０８、省電力管理部６０９、表示駆動方式変更制御部６１０を備える。
【００２６】
キー入力間隔測定部１０５は、キー操作部１１２により使用者が入力したキー入力の時間間隔を測定するためのタイマである。入力間隔保持部１０７は、キー操作部１１２により使用者が入力したキー入力の時間間隔をｎ個保持する記憶領域である。表示駆動方式変更時間テーブル部６０８は、入力間隔に応じてディスプレイの表示駆動方式変更時間を決定するための変換テーブルであり、キー入力間隔をディスプレイ表示部の省電力制御を行うまでの時間に変換するための省電力機能変更時間変換テーブル部として機能する。表示駆動方式変更タイマ部６０６は、ディスプレイ表示部１１１の表示駆動方式を省電力状態にするまでの時間を測定するためのタイマであり、ディスプレイ表示部を省電力状態にするまでの時間を測定する省電力変更タイマ部として機能する。表示駆動方式変更制御部６１０は、表示駆動方式変更タイマ部６０６がタイムアウトしたときに、ディスプレイ表示部１１１の表示駆動方式を省電力状態に制御し、ディスプレイ表示部に対して省電力機能の切り換えを指示する省電力切換制御部として機能する。
【００２７】
省電力管理部６０９は、キー操作部１１２の操作を介して検出した使用者のキー入力をキー入力間隔測定部１０５により入力間隔を測定し、入力間隔保持部１０７に保持する。入力間隔保持部１０７に保持したｎ回の入力間隔から入力間隔の平均値を求め、表示駆動方式変更時間変換テーブル部６０８に基づいて表示駆動方式変更時間を決定し、表示駆動方式変更タイマ部６０６に表示駆動方式変更時間を設定する。
【００２８】
本実施の形態に係る入力間隔保持部１０７の構成は、既に図２で説明したものと同じであるので説明を省略する。図７は、本実施の形態に係る表示駆動方式変更時間変換テーブル部６０８の一例を示す図である。表示駆動方式変更時間変換テーブル部６０８には、入力間隔しきい値領域８０２と表示駆動方式変更タイマ値領域８０１を設けている。入力間隔しきい値領域８０２には、複数の入力間隔のしきい値、しきい値１〜しきい値ｍを記憶し、表示駆動方式変更タイマ値領域８０１は、それぞれの入力間隔のしきい値に対応した表示駆動方式変更タイマ値、タイマ値１〜タイマ値ＭＡＸを記憶している。入力間隔しきい値の最小の値を「しきい値１」とし、最大の値を「しきい値ｍ」として説明する。前記しきい値１〜しきい値ｍに対して、表示駆動方式変更タイマ値の最小の値(下限値)をタイマ値１からタイマ値ｍ、および最大値（上限値）であるタイマ値ＭＡＸを記憶している。
【００２９】
以上の様に構成された本発明の第２の実施の形態に係わる携帯情報端末についての動作を説明する。図８は、本実施の形態に係る携帯情報端末において、入力間隔に応じて、自動的に表示駆動方式変更タイマ値を決定する手順の一例を示すフロー図である。図８は、省電力管理部６０９が、キー操作部１１２の操作を介して検出した使用者のキー入力間隔に基づいて、表示駆動方式変更時間を決定し、ディスプレイ省電力制御を行う手順を示している。以下各処理ステップを説明する。
【００３０】
省電力管理部６０９は、キーの入力により起動される（ステップ９００）。省電力管理部６０９は、表示駆動方式の状態について、省電力状態であるかを判断する（ステップ９０１）。省電力状態であれば（ステップ９０１；Ｙ）、表示駆動方式変更制御部６１０が、ディスプレイ表示部１１１に対して、表示駆動方式変更指示を行い、表示駆動方式を省電力状態から通常状態に遷移させる（ステップ９０８）。
【００３１】
ステップ９０１において、表示駆動方式が省電力状態でなければ（ステップ９０１；Ｎ）、省電力管理部６０９は、キー入力間隔測定部１０５が、それ以前にキー入力操作が行われていた場合には、前回のキー入力時間と今回のキー入力時間との差分により、キー入力間隔値を取得する（ステップ９０２）。さらに、省電力管理部６０９は、取得したキー入力間隔値を入力間隔保持部１０７に保存する（ステップ９０３）。このとき、入力間隔保持部１０７はｎ個の入力間隔値を保持可能であるが、新しくキーが入力されると、最も古いキー入力間隔値は破棄し、新しいキー入力間隔を追加して、常に最新のｎ回分までのキー入力間隔値を保持する。
【００３２】
次に省電力管理部６０９は、入力間隔保持部１０７に保持したｎ個のキー入力間隔値の平均値を計算し、入力間隔平均値とする（ステップ９０４）。
【００３３】
次に省電力管理部６０９は、前記入力間隔平均値に基づき、表示駆動方式変更タイマ値を求める。表示駆動方式変更タイマ値は、表示駆動方式変更時間変換テーブル部６０８に定義される入力間隔しきい値と表示駆動方式変更タイマ値の対応テーブルにより導く。入力間隔平均値が、しきい値１未満の値のとき、表示駆動方式変更タイマ値は、タイマ値１とし、しきい値１以上しきい値２未満のとき、タイマ値２とする。同様にしきい値ｍ−１以上しきい値ｍ未満のとき、タイマ値ｍとする。また、しきい値ｍ以上のとき、タイマ値最大値とする（ステップ９０５）。次に省電力管理部６０９は、前記表示駆動方式変更タイマ値を表示駆動方式変更タイマ部６０６に通知する（ステップ９０６）。次に表示駆動方式変更タイマ部６０６は、表示駆動方式変更タイマを更新した設定値により再スタートさせる（ステップ９０７）。
【００３４】
図９は、本実施の形態に係る表示駆動方式変更制御の手順の一例を示すフロー図である。以下各処理ステップを説明する。
【００３５】
表示駆動方式変更タイマがタイムアウトすると（ステップ１０００）、表示駆動方式変更制御部６１０は、表示駆動方式変更タイマ部６０６のタイムアウトにより起動され、ディスプレイ表示部１１１に対して、ディスプレイの表示駆動方式を省電力状態に遷移するよう指示する（ステップ１００１）。そして、終了する（ステップ１００２）。その後、キー入力があった場合は、図８に示す処理が起動される。
【００３６】
このように、本実施の形態によれば、使用者のキーの入力間隔に基づいて、ディスプレイの省電力制御を行うことができる。特に、使用者のキー入力間隔を連続した複数回のキー入力間隔を測定して、入力間隔平均値をもとに、省電力制御を切り替えることにより、キー入力間隔がばらついても、安定的な制御ができる。したがって、使用者の操作性を良好に保つようにしたまま低下を低減させた消費電力の削減を行うことができる。
【００３７】
なお、ここでは、ｎ個の入力間隔を平均した入力間隔平均値を用いて省電力制御を行うまでの時間を決定する実施の形態を説明したが、ｎ個の入力間隔の最小値、あるいは最大値を用いて省電力制御を行うまでの時間を決定するようにしてもよい。また、ｎ個は複数でなく、１個として用いてもよい。
【００３８】
なお、本実施の形態１のバックライト制御および本実施の形態２の表示駆動方式変更制御を同時に行うことによって、より効果的な消費電力の削減を行うことができる。
【産業上の利用可能性】
【００３９】
本発明にかかる携帯情報端末は、使用者のキー入力間隔に基づいて、ディスプレイ表示部の省電力制御を行うまでの時間を変更しているので、キー操作の途中で省電力機能がきりかわるという不便がなく、良好な操作性を保ったまま、適切なタイミングで省電力制御ができるので、使用可能時間の延長を図りたい携帯電話機はもちろん、携帯電話機以外のバックライトを有する携帯情報端末や、複数の表示駆動方式を備えた携帯情報端末に用いることができる。
【図面の簡単な説明】
【００４０】
【図１】本発明の第１の実施の形態における携帯情報端末のブロック図
【図２】本発明の第１の実施の形態に係る入力間隔保持部のデータ構成を示す図
【図３】本発明の第１の実施の形態に係るバックライトオフ時間変換テーブル部のデータ構成を示す図
【図４】本発明の第１の実施の形態に係るフロー図
【図５】本発明の第１の実施の形態に係るフロー図
【図６】本発明の第２の実施の形態における携帯情報端末のブロック図
【図７】本発明の第２の実施の形態に係る表示駆動方式変更時間変換テーブル部のデータ構成を示す図
【図８】本発明の第２の実施の形態に係るフロー図
【図９】本発明の第２の実施の形態に係るフロー図
【符号の説明】
【００４１】
１０１  アンテナ部
１０２  無線部
１０３  制御部
１０４  ディスプレイ省電力制御部
１０５  キー入力間隔測定部
１０６  バックライトオフタイマ部
１０７  入力間隔保持部
１０８  バックライトオフ時間変換テーブル部
１０９  省電力管理部
１１０  バックライト制御部
１１１  ディスプレイ表示部
１１２  キー操作部
２０１  入力間隔保持領域
３０１  バックライトオフタイマ値領域
３０２  入力間隔しきい値領域
６０３  制御部
６０４  ディスプレイ省電力制御部
６０６  表示駆動方式変更タイマ部
６０８  表示駆動方式変更時間変換テーブル部
６０９  省電力管理部
６１０  表示駆動方式変更制御部
８０１  表示駆動方式変更タイマ値領域
８０２  入力間隔しきい値領域
【図１】
2007214628.tif 000003
【図２】
2007214628.tif 000004
【図３】
2007214628.tif 000005
【図５】
2007214628.tif 000006
【図６】
2007214628.tif 000007
【図７】
2007214628.tif 000008
【図８】
2007214628.tif 000009
【図９】
2007214628.tif 000010
【図４】
2007214628.tif 000011